(57)【要約】【課題】制御情報の不当な変更を防ぐこと。【解決手段】実施形態に係る制御機器は、照明機器を制御する照明制御装置と双方向通信を行う通信部と、前記照明機器の制御に関する制御情報を記憶する記憶部と、操作者の認証を行う認証部と、前記認証部により認証が行われた操作者から、前記制御情報の設定変更を受付ける受付部と、を有することを特徴とする。【選択図】図２
2018055844.tif 000002
【特許請求の範囲】
【請求項１】
照明機器を制御する照明制御装置と双方向通信を行う通信部と；
前記照明機器の制御に関する制御情報を記憶する記憶部と；
操作者の認証を行う認証部と；
前記認証部により認証が行われた操作者から、前記制御情報の設定変更を受付ける受付部と；
を有することを特徴とする制御機器。
【請求項２】
前記記憶部は、前記制御情報として、前記照明機器を制御するための制御アドレスを記憶し、
前記制御機器は、
前記記憶部が記憶する制御アドレスが示す照明機器を制御するための制御信号を、パルス幅変調信号に変換する変換部と；
前記パルス幅変調信号を前記照明機器に出力する変調信号出力部と；
をさらに有することを特徴とする請求項１に記載の制御機器。
【請求項３】
前記記憶部は、前記制御情報として、前記回路を流れる電流が所定値を超えた際に、前記回路への電力供給を停止するか否かを示す情報を記憶し、
前記制御機器は、
前記照明機器に対して電力を供給する回路と；
前記制御情報に基づいて、前記回路への電力供給を制御するブレーカと；
をさらに有することを特徴とする請求項１に記載の制御機器。
【請求項４】
前記記憶部は、前記制御情報として、制御対象となる照明機器が属するユニバースを示す情報を記憶し、
前記制御装置は、
所定のユニバースに属する照明機器を制御する旨の制御内容を前記照明制御装置から受付けた場合は、当該所定のユニバースに属する照明機器に対して、前記照明制御装置から受付けた制御内容を示す制御信号を前記照明機器に出力する制御信号出力部；
をさらに有することを特徴とする請求項１に記載の制御機器。
【請求項５】
前記記憶部は、前記制御情報として、前記光源部を制御するための制御アドレスを記憶し、
前記制御装置は、
照明態様を制御可能な光源部と；
前記照明制御装置から受信した制御信号が示す制御アドレスが、前記記憶部が記憶する制御アドレスと一致する場合は、該制御信号に従って、前記光源部の照明態様を制御する照明制御部と；
を有することを特徴とする請求項１に記載の制御機器。
【請求項６】
前記記憶部は、前記設定変更を行った操作者と、設定変更の内容とをさらに記憶する
ことを特徴とする請求項１〜５のうちいずれか１つに記載の制御機器。
【発明の詳細な説明】
【技術分野】
【０００１】
本発明の実施形態は、制御機器に関する。
【背景技術】
【０００２】
従来、スタジオや舞台等では、複数の照明機器を制御する照明制御システムにより照明演出がなされている。例えば、照明制御システムは、照明機器を制御する照明制御装置を有し、ＲＤＭ（Remote  Device  Management）等といった双方向通信が可能なプロトコルにより照明機器を制御する。
【０００３】
また、照明制御システムには、照明機器以外にも、照明制御装置と双方向通信が可能な装置（以下、「制御機器」と記載する場合がある。）が含まれる場合がある。例えば、照明制御システムには、照明制御装置と照明機器との通信を中継するノード、照明機器に対する電力の供給状況を照明制御装置へと通知する分電盤や調光盤等の制御機器が含まれる場合がある。
【０００４】
このような制御機器には、照明機器を制御するための制御情報が照明制御装置を介してあらかじめ設定され、設定された情報を用いて、照明機器の制御が行われる。しかしながら、これらの制御機器は、機器本体に設置されたディスプレイやスイッチ等でも、制御情報の設定変更を受付けることができる場合が多い。このため、照明制御装置を操作するオペレータ以外の第三者が、制御機器の制御情報を不当に変更した場合には、適切な照明演出を実現できない場合がある。
【先行技術文献】
【特許文献】
【０００５】
【特許文献１】特開２０１４−２１６３０３号公報
【発明の概要】
【発明が解決しようとする課題】
【０００６】
本発明が解決しようとする課題は、制御情報の不当な変更を防ぐ制御機器を提供することである。
【課題を解決するための手段】
【０００７】
実施形態の一例に係る制御機器は、照明機器を制御する照明制御装置と双方向通信を行う通信部と、前記照明機器の制御に関する制御情報を記憶する記憶部と、操作者の認証を行う認証部と、前記認証部により認証が行われた操作者から、前記制御情報の設定変更を受付ける受付部と、を有することを特徴とする。
【発明の効果】
【０００８】
実施形態の一例に係る制御機器によれば、制御情報の不当な変更を防ぐことができる。
【図面の簡単な説明】
【０００９】
【図１】図１は、実施形態に係る照明制御システムの一例を示す図である。
【図２】図２は、実施形態に係るＲＤＭノードが有する機能構成の一例について説明する図である。
【図３】図３は、実施形態に係るＲＤＭノードが記憶する制御情報の一例を示す図である。
【図４】図４は、実施形態に係る認証テーブルに登録される情報の一例を示す図である。
【図５】図５は、実施形態に係る照明機器が有する機能構成の一例について説明する図である。
【図６】図６は、実施形態に係る照明機器が記憶する制御情報の一例を示す図である。
【図７】図７は、実施形態に係る変換装置が有する機能構成の一例について説明する図である。
【図８】図８は、実施形態に係る変換装置が記憶する制御情報の一例を示す図である。
【図９】図９は、実施形態に係る分電盤が有する機能構成の一例について説明する図である。
【図１０】図１０は、実施形態に係る分電盤が記憶する制御情報の一例を示す図である。
【図１１】図１１は、実施形態に係る制御機器が実行する認証処理の流れの一例を示すフローチャートである。
【発明を実施するための形態】
【００１０】
以下、図面を参照して、実施形態に係る制御機器を説明する。実施形態において同一の機能を有する構成には同一の符号を付し、重複する説明は省略する。なお、以下の実施形態で説明する制御機器は、一例を示すに過ぎず、実施形態を限定するものではない。例えば、以下の実施形態では、制御機器の一例として、舞台等の照明を行う照明制御システムに含まれる各種の機器について説明するが、制御機器は、これらの機器以外にも、任意の機器の制御にも適用することができる。なお、以下の各実施形態は、矛盾しない範囲内で適宜組みあわせてもよい。
【００１１】
以下の実施形態に係る制御機器（例えば、照明機器１０、変換装置３０、ＲＤＭ（Remote  Device  Management）ノード４０、および分電盤１００）は、照明機器（例えば、照明機器１０、２０）を制御する照明制御装置５０と双方向通信を行う通信部（例えば、通信部１１、４１、３１、１１０）を有する。また、制御機器は、照明機器１０、２０の制御に関する制御情報を記憶する記憶部（例えば、記憶部１５、４２、３２、１２０）を有する。また、制御機器は、操作者の認証を行う認証部（例えば、認証部１６ｂ、４６、３３ｂ、１３３）を有する。また、制御機器は、認証が行われた操作者から、制御情報の設定変更を受付ける受付部（例えば、認証部１６ｂ、４６、３３ｂ、１３３）を有する。
【００１２】
また、以下の実施形態に係る制御機器は、例えば、変換装置３０である。変換装置３０は、照明機器２０を制御するための制御アドレスを記憶する。また、変換装置３０は、記憶する制御アドレスが示す照明機器２０を制御するための制御信号をパルス幅変調信号（ＰＷＭ:Pulse  Width  Modulation）信号に変換する変換部３３ａを有する。また、変換装置３０は、パルス幅変調信号を照明機器２０に出力する変調信号出力部（例えば、ＭＯＳＦＥＴ（Metal-Oxide-Semiconductor  Field-Effect  Transistor）３４）を有する。
【００１３】
また、以下の実施形態に係る制御機器は、例えば、分電盤１００である。分電盤１００は、制御情報として、回路６０を流れる電流が所定値を超えた際に、回路６０への電力供給を停止するか否かを示す情報を記憶する。また、分電盤１００は、照明機器１０に対して電力を供給する回路６０を有する。また、分電盤１００は、制御情報に基づいて、回路６０への電力供給を制御するブレーカ（例えば、主幹ブレーカ１２３や分岐ブレーカ１２４）を有する。
【００１４】
また、以下の実施形態に係る制御機器は、例えば、ＲＤＭノード４０である。ＲＤＭノード４０は、制御情報として、制御対象となる照明機器が属するユニバースを示す情報を記憶する。そして、ＲＤＭノード４０は、所定のユニバースに属する照明機器１０を制御する旨の制御内容を照明制御装置５０から受付けた場合は、そのユニバースに属する照明機器１０に対して、制御信号を出力する制御信号出力部（例えば、出力部４３）を有する。
【００１５】
また、以下の実施形態に係る制御機器は、例えば、照明機器１０である。照明機器１０は、制御情報として、光源部１３を制御するための制御アドレスを記憶する。また、照明機器１０は、照明態様を制御可能な光源部１３を有する。また、照明機器１０は、照明制御装置５０から受信した制御信号が示す制御アドレスが、記憶する制御アドレスと一致する場合は、制御信号に従って、光源部１３の照明態様を制御する照明制御部１６ａを有する。
【００１６】
また、以下の実施形態に係る制御機器は、設定変更を行った操作者と、設定変更の内容とをさらに記憶する。
【００１７】
［実施形態］
（照明制御システムの概要）
以下、制御機器を有する照明制御システム１の一例について説明する。図１は、実施形態に係る照明制御システムの一例を示す図である。図１に示す例では、照明制御システム１は、複数の照明機器１０（１０−１〜１０−ｎ）、照明機器２０（２０−１〜２０−ｎ）、変換装置３０、ＲＤＭノード４０、照明制御装置５０、バトン装置７０、および分電盤１００を有する。なお、照明制御システム１に接続される照明機器１０、照明機器２０、変換装置３０、ＲＤＭノード４０、およびバトン装置７０の種別や数などは任意に設定できる。
【００１８】
照明機器１０は、例えばＬＥＤ（Light  Emitting  Diodes）等の半導体発光素子を光源とする照明機器１０である。例えば、照明機器１０は、バトン装置７０等により所定の位置に吊り下げられたり、所定の位置に置かれたりして用いられる。また、例えば、照明機器１０は、照明制御装置５０からＲＤＭノード４０を経由して送信される制御信号に従って、明るさ、範囲、色彩等を変化させることで、スタジオや舞台等の照明演出を行う。例えば、照明機器１０は、ＤＭＸ規格に従った通信プロトコルや、ＤＭＸ規格を拡張したＲＤＭ規格に沿った通信プロトコルにより、ＲＤＭノード４０を介して照明制御装置５０と双方向通信が可能であり、照明制御装置５０から送信されるＤＭＸ規格やＲＤＭ規格の制御信号に従って、照明態様を変更する。
【００１９】
照明機器２０は、パルス幅変調信号（以下、「ＰＷＭ信号」と記載する。）が示す制御内容に基づいて、照明を行う照明装置であり、例えば、ＬＥＤ等の半導体発光素子が出力する光の照度や色彩等をＰＷＭ信号が示す制御内容に従って変化させることで、スタジオや舞台等の照明演出を行う。なお、具体例を挙げるならば、照明機器２０は、舞台の床や天井に設置されたダウンライトであるが、舞台における背景色の演出を行うホリゾントライト、スポットライト、若しくはフラッドライト等、任意の照明装置が適用可能である。
【００２０】
変換装置３０は、ＲＤＭノード４０を介して照明制御装置５０から受信したＤＭＸ規格やＲＤＭ規格の制御信号をＰＷＭ信号に変換し、変換後のＰＷＭ信号を照明機器２０へと出力することで、照明機器２０の制御を行う変換装置である。
【００２１】
ＲＤＭノード４０は、照明制御装置５０と、照明機器１０、照明機器２０、変換装置３０、および分電盤１００との間の通信を中継する装置であり、例えば、ＤＭＸノードやＲＤＭノードと称される装置により実現される。例えば、ＲＤＭノード４０と照明制御装置５０とは、イーサーネット（登録商標）やＬＡＮ（Local  Area  Network）等のネットワークを介して、双方向通信が可能な状態で接続されている。一方、ＲＤＭノード４０と照明機器１０、変換装置３０、および分電盤とは、ＤＭＸ規格やＲＤＭ規格により双方向通信が可能な状態で接続されている。
【００２２】
照明制御装置５０は、照明機器１０、２０と双方向通信が可能な装置であり、オペレータから照明機器１０、２０に対する操作指令を受付けると、ＤＭＸ規格に従った通信プロトコルや、ＤＭＸを拡張したＲＤＭ規格に沿った通信方式により、照明機器１０、２０の制御を行う。なお、照明制御装置５０は、プリセットフェーダやフェーダ、ボタン等を有する調光卓や制御卓等により実現される。
【００２３】
分電盤１００は、照明機器１０、２０に電力を伝達する複数の回路６０（例えば、図９）を有し、回路に接続された各照明機器１０、２０に電力を供給する。例えば、分電盤１００は、入力電圧、入力電流、漏電など電源に関する機能や、出力電流、漏電など負荷に関する機能、温度など盤内の状態に関する機能、主幹ブレーカや回路ブレーカの開閉に関する機能、各種情報の表示や操作を受け付ける機能などを有する。照明機器１０、２０は、それぞれ分電盤１００から供給される電力を用いて、光源の点灯等を行う。
【００２４】
（照明制御処理の一例）
このような照明制御システム１においては、以下に説明する照明制御処理が実行される。例えば、各照明機器１０−１〜１０−ｎには、ＤＭＸ規格において操作対象となる装置を識別するための制御アドレス、すなわち、ＤＭＸアドレスが付与されている。また、変換装置３０には、照明機器２０−１〜２０−ｎを制御するためのＤＭＸアドレスが付与されている。
【００２５】
一方、照明制御装置５０は、各フェーダに対し、照明機器１０−１〜１０−ｎや変換装置３０に付与されたＤＭＸアドレスを対応付けて記憶する。そして、照明制御装置５０は、オペレータがフェーダを操作した場合には、操作されたフェーダに対応付けられたＤＭＸアドレスと、操作内容とを示す制御内容を、イーサーネット等のネットワークを介して、ＲＤＭノード４０へと送信する。
【００２６】
一方、ＲＤＭノード４０は、制御内容を照明制御装置５０から受信すると、ＤＭＸ規格やＲＤＭ規格に沿った信号であって、受信した制御内容を示す制御信号を生成し、生成した制御信号をバトン装置７０や変換装置３０へと出力する。このような場合、バトン装置７０は、制御信号を照明機器１０へと伝達する。
【００２７】
一方、照明機器１０は、バトン装置７０から受信した制御信号が示すＤＭＸアドレスが自装置のＤＭＸアドレスであるか否かを判定し、自装置のＤＭＸアドレスであると判定した場合は、制御信号が示す操作内容に従って、照明態様の制御を行う。また、変換装置３０は、ＲＤＭノード４０から受信した制御信号が示すＤＭＸアドレスが自装置のＤＭＸアドレスである場合には、制御信号が示す操作内容を実現するためのＰＷＭ信号を生成し、生成したＰＷＭ信号を照明機器２０へと出力する。この結果、照明制御システム１は、照明機器１０、２０の照明態様を制御することができる。
【００２８】
（制御情報について）
ここで、照明制御装置５０は、照明機器１０、変換装置３０、ＲＤＭノード４０、および分電盤１００と双方向通信を行うことで、照明機器１０や照明機器２０の制御に関する制御情報の管理を行う。
【００２９】
例えば、照明機器１０には、制御情報として、ＤＭＸアドレスやユニバースといった情報が登録されている。また、例えば、変換装置３０には、制御情報として、ＤＭＸアドレスやユニバースといった情報が登録されている。そして、照明制御装置５０は、照明機器１０や変換装置３０との間で双方向通信を行うことで、制御情報の収集や、制御情報の変更を行う。例えば、照明制御装置５０は、照明機器１０が出力する光の色（ＲＧＢＷ：Red  Green  Blue  White）ごとにＤＭＸアドレスを設定したり、ユニバースの設定を行う。また、照明制御装置５０は、照明機器２０を制御するためのＤＭＸアドレスやユニバースの設定を行う。
【００３０】
また、ＲＤＭノード４０には、自装置と接続された照明機器１０や変換装置３０、すなわち、制御対象となる照明機器１０や変換装置３０が属するユニバースや、照明機器１０および変換装置３０に設定されたＤＭＸアドレス等が制御情報として登録されている。そして照明制御装置５０は、照明機器１０や変換装置３０の制御情報の設定変更に合わせて、ＲＤＭノード４０に登録された制御情報の設定変更等を行う。
【００３１】
この結果、例えば、ＲＤＭノード４０は、受信した制御内容が示すＤＭＸアドレスやユニバースが、制御対象となる照明機器１０や変換装置３０に関するＤＭＸアドレスやユニバースではない場合は、制御信号の出力を行わず、受信した制御内容が示すＤＭＸアドレスやユニバースが、制御対象となる照明機器１０や変換装置３０に関するＤＭＸアドレスやユニバースである場合は、制御信号を出力する。同様に、照明機器１０や変換装置３０は、受信した制御信号が示すＤＭＸアドレスやユニバースが設定されたＤＭＸアドレスやユニバースと一致する場合は、照明制御を行い、一致しない場合は、照明制御を行わない。
【００３２】
ここで、回路６０で短絡や漏電が発生した場合や、使用する照明機器１０、２０の数が所定の閾値を超えた場合等、回路６０に想定以上の電流が流れることとなる。そこで、分電盤１００は、回路６０を流れる電流が所定値を超えた場合は、ブレーカをＯＦＦにすることで、回路６０への電力供給を停止する。しかしながら、回路６０への電力供給を急に停止した場合には、舞台等が暗転する結果、安全性が逆に低下してしまう場合がある。
【００３３】
そこで、分電盤１００は、制御情報として、制御情報として、回路６０を流れる電流値が所定の閾値を超えた際に、回路６０への電力供給を停止するか否かを示す停止情報を記憶する。そして、分電盤１００は、停止情報が、回路６０への電力供給を停止しない旨を示す場合は、回路６０を流れる電流値が所定の閾値を超えたとしても、回路６０への電力供給を停止せずに、所定の監視装置や照明制御装置５０へと警告を出力する。一方、照明制御装置５０は、ＲＤＭノード４０を介して、ＲＤＭ規格に沿った双方向通信を分電盤１００との間で行うことにより、停止情報の確認や設定変更等を行う。
【００３４】
（認証処理について）
上述したように、照明制御システム１における照明機器１０、変換装置３０、ＲＤＭノード４０、および分電盤１００等、照明制御装置５０との間で双方向通信を行う機器（以下、「制御機器」と記載する。）には、照明機器１０、２０の制御に関する各種の制御情報が登録されている。そして、制御機器は、照明制御装置５０からの操作に従い、制御情報の設定変更を受付ける。
【００３５】
ここで、制御機器には、ディップスイッチや７セグメントＬＥＤ等の操作部を有し、制御情報の設定変更を制御機器本体で受付けることができるものが存在する。例えば、照明機器１０、変換装置３０およびＲＤＭノード４０は、ディップスイッチ等を介して、ＤＭＸアドレスやユニバース等といった制御情報の設定変更を受付けることができる場合がある。また、分電盤１００には、タッチパネル等の操作部を兼ねる表示装置を有し、表示装置上に電力の供給状況を表示するとともに、停止情報等といった制御情報の設定変更を受付けることができる場合がある。
【００３６】
しかしながら、このように制御機器ごとに制御情報の設定変更を受付けることができる場合、照明制御装置５０を操作するオペレータ以外の第三者が、制御機器の制御情報を不当に変更した場合には、適切な照明演出を実現できない場合がある。
【００３７】
また、舞台やスタジオ等に制御機器を設置する際には、制御機器が設置される度に新たな制御情報が設定される場合や、所定の制御情報が使用され続ける場合等が存在する。しかしながら、制御情報の設定変更が行われた際に、誰がどのような設定変更を行ったのかが解らない場合には、新たな制御情報を設定してもよいか否かの確認に手間がかかる場合がある。
【００３８】
そこで、制御機器は、以下の認証処理を実行する。例えば、制御機器は、照明制御装置５０と双方向通信を行う機能を有するとともに、照明機器１０、２０の制御に関する制御情報を記憶する。また、制御機器は、自装置に備えられた操作部を介して、制御情報の設定変更操作が行われた場合は、操作者の認証を行う。そして、制御機器は、認証が行われた場合は、操作者から制御情報の設定変更を受付ける。
【００３９】
すなわち、照明制御システム１における照明機器１０、変換装置３０、ＲＤＭノード４０、および分電盤１００等の制御機器は、それぞれ操作者の認証を行う認証機能を有する。そして、制御機器は、操作者の認証が行なわれた場合にのみ、制御情報の設定変更を受付けることで、第三者による不当な設定変更を防止する。
【００４０】
また、制御機器は、設定変更が行われた場合は、設定変更を行った操作者、すなわち、認証を行った操作者と、設定変更の内容とを記憶する。このように、制御機器は、設定変更のログを記憶することで、新たな制御情報を設定してもよいか否かの確認の手間を軽減する。
【００４１】
以下、制御機器である照明機器１０、変換装置３０、ＲＤＭノード４０、および分電盤１００が有する機能構成の一例について説明する。なお、以下の説明では、ＲＤＭノード４０、照明機器１０、変換装置３０、および分電盤１００の順に、図２〜図８を用いて、機能構成の一例について説明する。
【００４２】
（ＲＤＭノードの機能構成について）
まず、図２〜図４を用いて、ＲＤＭノード４０が有する機能構成の一例について説明する。図２は、実施形態に係るＲＤＭノードが有する機能構成の一例について説明する図である。図２に示す例では、ＲＤＭノード４０は、通信部４１、記憶部４２、出力部４３、操作部４４、認証装置４５、および認証部４６を有する。
【００４３】
通信部４１は、照明制御装置５０との間でイーサーネット等のネットワークを介して、双方向通信を行う通信部であり、例えば、ＮＩＣ（Network  Interface  Card）等により実現される。
【００４４】
記憶部４２は、ＲＤＭノード４０が有する揮発性または不揮発性のメモリであり、ＨＤＤ（Hard  Disk  Drive）、ＳＳＤ（Solid  State  Drive）、フラッシュメモリ、ＲＡＭ（Random  Access  Memory）等の記憶装置により実現される。また、図２に示す例では、記憶部４２には、制御情報４２ａおよび認証テーブル４２ｂが登録されている。
【００４５】
制御情報４２ａは、ＲＤＭノード４０が照明機器１０の制御に用いる制御情報である。例えば、図３は、実施形態に係るＲＤＭノードが記憶する制御情報の一例を示す図である。図３に示すように、制御情報４２ａには、「項目」と「制御情報」とが対応付けて登録されている。
【００４６】
ここで、「項目」とは、対応付けられた制御情報の種別を示す項目である。また、「制御情報」とは、照明機器１０の制御に用いる制御情報である。例えば、図３に示す例では、制御情報４２ａには、項目「ＩＰ（Internet  Protocol）アドレス」と制御情報「１９２．１６３．１．１」とが対応付けて登録されており、項目「照明機器＃１」と制御情報「ユニバース：１、ＤＭＸアドレス：１０〜１３、ポート：１」とが対応付けて登録されている。このような情報は、例えば、ＲＤＭノード４０のＩＰアドレスが「１９２．１６３．１．１」である旨を示す。また、このような情報は、「照明機器＃１」が示す照明機器のユニバースが「１」であり、制御を行うためのＤＭＸアドレスが「１０〜１３」であり、ＲＤＭノード４０が有する「１」番目のポートに接続されている旨を示す。
【００４７】
図２に戻り、説明を続ける。認証テーブル４２ｂは、操作者の認証を行うための認証情報が登録されている。例えば、図４は、実施形態に係る認証テーブルに登録される情報の一例を示す図である。図４に示す例では、認証テーブル４２ｂには、「認証対象」、「認証用情報」、「操作情報」および「履歴情報」といった項目が登録されている。
【００４８】
ここで、「認証対象」とは、認証対象となる操作者を示す情報である。また、「認証用情報」とは、対応付けられた「認証対象」が示す操作者の認証に用いる情報である。例えば、「認証用情報」には、操作者の指紋データや声紋データ等といった生体データが登録される。また、他の例では、「認証用情報」には、操作者に対して付与された非接触型のＩＣ（Integrated  Circuit）カードに登録されている認証用の情報が登録される。また、他の例では、「認証用情報」には、パスワードとユーザＩＤとの組が登録される。また、「操作情報」とは、操作者が前回行った操作内容を示す情報である。また、「履歴情報」とは、操作者が行った操作内容や、制御情報の設定変更の履歴である。
【００４９】
例えば、図４に示す例では、認証対象「対象＃１」、認証用情報「認証用情報＃１」、操作情報「操作情報＃１」および履歴情報「履歴情報＃１」といった情報が登録されている。このような情報は、認証対象「対象＃１」が示す操作者の認証に用いられる情報が、認証用情報「認証用情報＃１」である旨を示す。また、このような情報は、認証対象「対象＃１」が示す操作者によって前回行われた操作が操作情報「操作情報＃１」が示す操作であり、認証対象「対象＃１」が示す操作者による設定変更の履歴が履歴情報「履歴情報＃１」である旨を示す。
【００５０】
図２に戻り、説明を続ける。出力部４３は、制御情報４２ａに基づいて、照明制御装置５０から受付けた制御内容を示す制御信号を照明機器１０に出力する。例えば、出力部４３は、制御内容を照明制御装置５０から受付けると、制御情報４２ａを参照し、制御内容が示すＤＭＸアドレスやユニバースの値が一致する照明機器１０が接続されたポートを特定する。そして、出力部４３は、制御内容を示す制御信号を生成し、特定したポートから出力する。このような場合、バトン装置７０は、出力部４３が出力した制御信号をそのまま照明機器１０へと伝達することで、照明機器１０の制御を行う。
【００５１】
操作部４４は、制御情報４２ａの設定変更を受付ける操作部であり、例えば、ディップスイッチやタッチパネル等により実現される。例えば、操作部４４は、制御情報４２ａに登録されたＩＰアドレスや、各照明機器１０のユニバース若しくはＤＭＸアドレスの設定変更を受付けた場合は、認証部４６に対して操作者の認証を要求する。そして、操作部４４は、認証部４６により操作者の認証が行われた場合は、操作者の操作に従って、制御情報４２ａの設定変更を行う。
【００５２】
認証装置４５は、操作者の認証を行うための各種認証手段である。例えば、認証装置４５は、指紋や声紋等といった操作者の生体情報を用いた認証を行う場合は、操作者の生体情報を取得する生体情報取得装置により実現される。また、認証装置４５は、操作者に対して付与されたＩＣカードに登録されている認証用の情報を用いた認証を行う場合は、ＩＣカードと非接触通信を行うための装置により実現される。また、認証装置４５は、パスワードとユーザＩＤとの組合せを用いた認証を行う場合は、パスワードやユーザＩＤの入力を受付ける入力装置により実現される。
【００５３】
認証部４６は、操作者の認証を行う。例えば、認証部４６は、操作部４４から操作者の認証が要求された場合は、認証装置４５を用いて、操作者から認証用の情報を取得する。また、認証部４６は、認証テーブル４２ｂを参照し、操作者から取得した認証用の情報と、認証テーブル４２ｂに登録された認証用情報とが一致するか否かを判定する。
【００５４】
そして、認証部４６は、操作者から取得した認証用の情報と、認証テーブル４２ｂに登録された認証用情報とが一致する場合は、操作者の認証が行われた旨を操作部４４に通知することで、操作者から制御情報４２ａの設定変更を受付ける。また、認証部４６は、操作者が行った操作内容や設定内容を操作情報や履歴情報として、認証が行われた操作者と対応付けて認証テーブル４２ｂに登録する。
【００５５】
一方、認証部４６は、操作者から取得した認証用の情報と、認証テーブル４２ｂに登録された認証用情報とが一致しなかった場合は、認証が行われなかった旨を操作部４４に通知する。このような場合、操作部４４は、操作者から制御情報４２ａの設定変更を受付けずに、処理を終了する。
【００５６】
なお、図２に示す機能構成のうち、認証部４６は、例えば、各種の情報処理を実行する演算装置により実現される。このような演算装置は、例えば、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。また、このような演算装置は、各種の処理手順を規定したプログラムや制御データを格納するための内部メモリを有し、これらによって種々の処理を実行する。そして、このような演算装置は、各種のプログラムが動作することにより各種の処理部として機能する。  
【００５７】
（照明機器の機能構成について）
次に、図５、図６を用いて、照明機器１０が有する機能構成の一例について説明する。図５は、実施形態に係る照明機器が有する機能構成の一例について説明する図である。図５に示す例では、照明機器１０は、通信部１１、認証装置１２、光源部１３、操作部１４、記憶部１５、および制御部１６を有する。
【００５８】
通信部１１は、ＲＤＭノード４０との間でＲＤＭ規格に沿った双方向通信を行う通信部であり、例えば、ＮＩＣ等により実現される。
【００５９】
認証装置１２は、操作者の認証を行うための各種認証手段である。なお、認証装置１２は、図２に示すＲＤＭノード４０の認証装置４５と同様の装置により実現され、認証装置４５と同様の機能を発揮するものとして、詳細な説明を省略する。
【００６０】
光源部１３は、照明態様を制御可能な光源であり、例えば、制御部１６の制御に従って、照度、照明する範囲、色彩等を制御可能なＬＥＤ等の半導体発光素子により実現される。
【００６１】
操作部１４は、照明機器１０が記憶する制御情報の設定変更を受付ける操作部である。なお、操作部１４は、図２に示すＲＤＭノード４０の操作部４４と同様の装置により実現され、操作部４４と同様の機能を発揮するものとして、詳細な説明を省略する。
【００６２】
記憶部１５は、照明機器１０が有する揮発性または不揮発性のメモリであり、ＨＤＤ、ＳＳＤ、フラッシュメモリ、ＲＡＭ等の記憶装置により実現される。また、図５に示す例では、記憶部１５には、制御情報１５ａおよび認証テーブル１５ｂが登録されている。
【００６３】
制御情報１５ａは、照明機器１０が光源部１３の制御に用いる制御情報である。例えば、図６は、実施形態に係る照明機器が記憶する制御情報の一例を示す図である。図６に示すように、制御情報１５ａには、「項目」と「制御情報」とが対応付けて登録されている。ここで、「項目」とは、対応付けられた制御情報の種別を示す項目である。また、「制御情報」とは、光源部１３の制御に用いる制御情報である。
【００６４】
例えば、図６に示す例では、制御情報１５ａには、項目「ユニバース」と制御情報「１」とが対応付けて登録されており、項目「ＤＭＸアドレス」と制御情報「Ｒ：１０、Ｇ：１１、Ｂ：１２、Ｗ：１３」とが対応付けて登録されている。このような情報は、例えば、照明機器１０を制御するためのユニバースの値が「１」である旨を示す。また、このような情報は、照明機器１０の光源部１３が出力する光のうち、赤色（Ｒ）の光を制御するためのＤＭＸアドレスが「１０」であり、緑色（Ｇ）の光を制御するためのＤＭＸアドレスが「１１」であり、青色（Ｂ）の光を制御するためのＤＭＸアドレスが「１２」であり、白色（Ｗ）の光を制御するためのＤＭＸアドレスが「１３」である旨を示す。
【００６５】
図５に戻り、説明を続ける。認証テーブル１５ｂは、操作者の認証を行うための認証情報が登録されている。なお、認証テーブル１５ｂには、図４に示す認証テーブル４２ｂと同様の情報が登録されているものとして、詳細な説明を省略する。
【００６６】
制御部１６は、各種の情報処理を実行する演算装置であり、例えば、ＣＰＵ、ＭＰＵ等の電子回路や、ＡＳＩＣ、ＦＰＧＡ等の集積回路を採用できる。また、このような演算装置は、各種の処理手順を規定したプログラムや制御データを格納するための内部メモリを有し、これらによって種々の処理を実行する。そして、このような演算装置は、各種のプログラムが動作することにより各種の処理部として機能する。  
【００６７】
図５に示す例では、制御部１６は、照明制御部１６ａと、認証部１６ｂとを有する。照明制御部１６ａは、照明制御装置５０から受信した制御信号と制御情報１５ａとに基づいて、光源部１３の照明態様を制御する。例えば、照明制御部１６ａは、照明制御装置５０から受信した制御信号が示すＤＭＸアドレスやユニバースが、制御情報１５ａとして登録されたユニバースやＤＭＸアドレスと一致する場合は、制御信号に従って、光源部１３の照明態様を制御する。より具体的な例を挙げると、照明制御部１６ａは、ユニバースの値が「１」、ＤＭＸアドレスの値が「１２」である制御信号を受信した場合は、制御信号が示す操作内容に従って、光源部１３が出力する青色の光を制御する。
【００６８】
認証部１６ｂは、認証テーブル１５ｂに登録された情報と、認証装置１２とを用いて、操作者の認証を行う。例えば、認証部１６ｂは、図２に示すＲＤＭノード４０の認証部４６と同様に、操作部１４から操作者の認証が要求された場合は、認証装置１２を用いて、操作者の認証を行う。なお、認証部１６ｂは、図２に示す認証部４６と同様の処理を実行するものとして、詳細な説明を省略する。
【００６９】
（変換装置の機能構成について）
次に、図７、図８を用いて、変換装置３０が有する機能構成の一例について説明する。図７は、実施形態に係る変換装置が有する機能構成の一例について説明する図である。図７に示す例では、変換装置３０は、通信部３１、記憶部３２、制御部３３、ＭＯＳＦＥＴ３４、認証装置３５、および操作部３６を有する。
【００７０】
通信部３１は、ＲＤＭノード４０との間でＲＤＭ規格に沿った双方向通信を行う通信部であり、例えば、ＮＩＣ等により実現される。
【００７１】
記憶部３２は、変換装置３０が有する揮発性または不揮発性のメモリであり、ＨＤＤ、ＳＳＤ、フラッシュメモリ、ＲＡＭ等の記憶装置により実現される。また、図７に示す例では、記憶部３２には、制御情報３２ａおよび認証テーブル３２ｂが登録されている。
【００７２】
制御情報３２ａは、変換装置３０が照明機器２０の制御に用いる制御情報である。例えば、図８は、実施形態に係る変換装置が記憶する制御情報の一例を示す図である。図８に示すように、制御情報３２ａには、「項目」と「制御情報」とが対応付けて登録されている。ここで、「項目」とは、対応付けられた制御情報の種別を示す項目である。また、「制御情報」とは、照明機器２０の制御に用いる制御情報である。
【００７３】
例えば、図８に示す例では、制御情報３２ａには、項目「ユニバース」と制御情報「１」とが対応付けて登録されており、項目「ＤＭＸアドレス」と制御情報「３０」とが対応付けて登録されている。このような情報は、例えば、照明機器２０を制御するためのユニバースの値が「１」であり、ＤＭＸアドレスが「３０」である旨を示す。
【００７４】
図７に戻り、説明を続ける。認証テーブル３２ｂは、操作者の認証を行うための認証情報が登録されている。なお、認証テーブル３２ｂには、図４に示す認証テーブル４２ｂと同様の情報が登録されているものとして、詳細な説明を省略する。
【００７５】
制御部３３は、各種の情報処理を実行する演算装置であり、例えば、ＣＰＵ、ＭＰＵ等の電子回路や、ＡＳＩＣ、ＦＰＧＡ等の集積回路を採用できる。また、このような演算装置は、各種の処理手順を規定したプログラムや制御データを格納するための内部メモリを有し、これらによって種々の処理を実行する。そして、このような演算装置は、各種のプログラムが動作することにより各種の処理部として機能する。  
【００７６】
図７に示す例では、制御部３３は、変換部３３ａと認証部３３ｂとを有する。変換部３３ａは、制御情報３２ａに基づいて、照明制御装置５０から受信した照明機器２０を制御するための制御信号をＰＷＭ信号に変換する。例えば、変換部３３ａは、制御情報３２ａとして登録された制御アドレスが示す照明機器２０を制御するための制御信号を、ＰＷＭ信号に変換する。
【００７７】
例えば、変換部３３ａは、ＲＤＭノード４０を介して照明制御装置５０から受信した制御信号が示すＤＭＸアドレスやユニバースが、制御情報３２ａとして登録されたユニバースやＤＭＸアドレスと一致する場合は、制御信号が示す制御内容のＰＷＭ信号を生成し、ＭＯＳＦＥＴ３４に出力させる。より具体的な例を挙げると、変換部３３ａは、ユニバースの値が「１」、ＤＭＸアドレスの値が「３０」である制御信号を受信した場合は、制御信号が示す操作内容を示すＰＷＭ信号を出力するように、ＭＯＳＦＥＴ３４のゲート電圧を制御することで、照明機器２０が出力する光の明度を制御する。
【００７８】
認証部３３ｂは、認証テーブル３２ｂに登録された情報と、認証装置３５とを用いて、操作者の認証を行う。例えば、認証部３３ｂは、図２に示すＲＤＭノード４０の認証部４６と同様に、操作部３６から操作者の認証が要求された場合は、認証装置３５を用いて、操作者の認証を行う。なお、認証部３３ｂは、図２に示す認証部４６と同様の処理を実行するものとして、詳細な説明を省略する。
【００７９】
ＭＯＳＦＥＴ３４は、ＰＷＭ信号を照明機器２０に出力する。例えば、ＭＯＳＦＥＴ３４は、変換部３３ａから入力されるゲート電圧の制御に従って、照明機器２０へと流入する電流値を変化させることで、ＰＷＭ信号を照明機器２０に出力する。
【００８０】
認証装置３５は、操作者の認証を行うための各種認証手段である。なお、認証装置３５は、図２に示すＲＤＭノード４０の認証装置４５と同様の装置により実現され、認証装置４５と同様の機能を発揮するものとして、詳細な説明を省略する。
【００８１】
操作部３６は、変換装置３０が記憶する制御情報の設定変更を受付ける操作部である。なお、操作部３６は、図２に示すＲＤＭノード４０の操作部４４と同様の装置により実現され、操作部４４と同様の機能を発揮するものとして、詳細な説明を省略する。
【００８２】
（分電盤の機能構成について）
次に、図９、図１０を用いて、分電盤１００が有する機能構成の一例について説明する。図９は、実施形態に係る分電盤が有する機能構成の一例について説明する図である。図９に示す例では、分電盤１００は、通信部１１０、記憶部１２０、電源部１２２、主幹ブレーカ１２３、分岐ブレーカ１２４（１２４−１〜１２４−ｎ）、制御部１３０、表示部１４０、および認証装置１５０を有する。
【００８３】
通信部１１０は、ＲＤＭノード４０を介して照明制御装置５０との間の通信を制御する通信装置であり、例えば、ＮＩＣ等により実現される。
【００８４】
記憶部１２０は、分電盤１００が有する揮発性または不揮発性のメモリであり、ＨＤＤ、ＳＳＤ、フラッシュメモリ、ＲＡＭ等の記憶装置により実現される。また、図９に示す例では、記憶部１２０には、制御情報１２０ａおよび認証テーブル１２０ｂが登録されている。
【００８５】
制御情報１２０ａは、分電盤１００が照明機器１０、２０の制御に用いる制御情報である。例えば、図１０は、実施形態に係る分電盤が記憶する制御情報の一例を示す図である。図１０に示すように、制御情報１２０ａには、「項目」と「制御情報」とが対応付けて登録されている。ここで、「項目」とは、対応付けられた制御情報の種別を示す項目である。また、「制御情報」とは、照明機器１０、２０の制御に用いる制御情報である。
【００８６】
例えば、図１０に示す例では、制御情報１２０ａには、項目「回路＃１」と制御情報「漏電時ブレーカ：ＯＦＦ」とが対応付けて登録されており、項目「回路＃１」と制御情報「漏電時ブレーカ：ＯＮ」とが対応付けて登録されている。このような情報は、例えば、「回路＃１」を流れる電流の量が所定の閾値を超えた場合は、対応するブレーカを「ＯＦＦ」にすることで、電力供給を遮断し、「回路＃２」を流れる電流の量が所定の閾値を超えた場合は、対応するブレーカを「ＯＮ」にし続けることで、電力供給を継続する旨を示す。
【００８７】
図９に戻り、説明を続ける。認証テーブル１２０ｂは、操作者の認証を行うための認証情報が登録されている。なお、認証テーブル１２０ｂには、図４に示す認証テーブル４２ｂと同様の情報が登録されているものとして、詳細な説明を省略する。
【００８８】
電源部１２２は、電力を供給する電源装置である。具体的には、電源部１２２は、各照明機器１０、２０に電力を供給する。例えば、電源部１２２は、後述する電力制御部１３１による制御に従って分岐ブレーカ１２４がＯＮにされている場合に、かかる分岐ブレーカ１２４に対応する回路６０に接続された照明機器１０に電力を供給する。  
【００８９】
主幹ブレーカ１２３は、分電盤１００が有する全ての回路６０の電力供給をまとめて制御する。また、主幹ブレーカ１２３は、全ての回路６０に流れる電流の量が所定値を超えると電力供給を遮断する。例えば、主幹ブレーカ１２３は、消費電力の増加や漏電等により、各配線を介して供給される電流の合計値が予め設定された所定の閾値を超えた場合に、電力供給を遮断する。  
【００９０】
分岐ブレーカ１２４（分岐ブレーカ１２４−１〜１２４−ｎ）は、回路ごとに、回路６０の電力供給を制御する。また、分岐ブレーカ１２４は、各回路６０に流れる電流の量が所定値を超えると電力供給を遮断する。例えば、分岐ブレーカ１２４は、回路６０に流れる電流が予め設定された所定の閾値を超えた場合に、かかる回路６０の電力供給を遮断する。  
【００９１】
制御部１３０は、各種の情報処理を実行する演算装置であり、例えば、ＣＰＵ、ＭＰＵ等の電子回路や、ＡＳＩＣ、ＦＰＧＡ等の集積回路を採用できる。また、このような演算装置は、各種の処理手順を規定したプログラムや制御データを格納するための内部メモリを有し、これらによって種々の処理を実行する。そして、このような演算装置は、各種のプログラムが動作することにより各種の処理部として機能する。  
【００９２】
図９に示す例では、制御部１３０は、電力制御部１３１、通知部１３２、および認証部１３３を有する。電力制御部１３１は、回路６０への電力供給を制御する。例えば、電力制御部１３１は、回路６０に対応する分岐ブレーカ１２４をＯＮにすることで、回路６０に電力を供給する。一例としては、電力制御部１３１は、分岐ブレーカ１２４をＯＮにする指示を分岐ブレーカ１２４に出力することで、分岐ブレーカ１２４に対応する回路６０に電力を供給する。また、電力制御部１３１は、回路６０に対応する分岐ブレーカ１２４をＯＦＦにすることで、回路６０への電力供給を中止する。例えば、電力制御部１３１は、分岐ブレーカ１２４をＯＦＦにする指示を出力することで、分岐ブレーカ１２４に対応する回路６０への電力供給を遮断する。
【００９３】
ここで、電力制御部１３１は、制御情報１２０ａに基づいて、回路６０への電力供給を制御する。例えば、電力制御部１３１は、分岐ブレーカ１２４−１が電力を供給する回路６０−１を流れる電流の量が所定の閾値を超えた場合は、制御情報１２０ａを参照し、回路６０−１と対応する制御情報を確認する。そして、電力制御部１３１は、確認した制御情報が、「漏電時ブレーカ：ＯＦＦ」である場合は、分岐ブレーカ１２４−１を作動させることで、回路６０−１への電力供給を遮断する。一方、電力制御部１３１は、確認した制御情報が、「漏電時ブレーカ：ＯＮ」である場合は、分岐ブレーカ１２４−１を作動させずに、回路６０−１への電力供給を継続させる。
【００９４】
通知部１３２は、短絡や漏電等の発生を照明制御装置５０へと通知する。例えば、通知部１３２は、回路６０に流れる電流量が所定の閾値を超えた場合には、分岐ブレーカ１２４を作動させるか否かに関わらず、ＲＤＭノード４０を介して、短絡や漏電などが発生した旨の通知を照明制御装置５０へと送信する。
【００９５】
認証部１３３は、認証テーブル１２０ｂに登録された情報と、認証装置１５０とを用いて、操作者の認証を行う。例えば、認証部１３３は、図２に示すＲＤＭノード４０の認証部４６と同様に、表示部１４０から操作者の認証が要求された場合は、認証装置１５０を用いて、操作者の認証を行う。なお、認証部１３３は、図２に示す認証部４６と同様の処理を実行するものとして、詳細な説明を省略する。
【００９６】
表示部１４０は、各種の情報を表示する。具体的には、表示部１４０は、回路６０に関する情報を表示する。より具体的には、表示部１４０は、各回路６０−１〜６０−ｎを流れる電流の量や短絡または漏電の有無等、分電盤１００や照明機器１０、２０の制御に関する各種の情報を表示する。
【００９７】
また、表示部１４０は、例えば、タッチパネル等により実現され、操作者からの操作を受付ける操作部として動作する。すなわち、表示部１４０は、分電盤１００が記憶する制御情報の設定変更を受付ける操作部としても動作する。なお、表示部１４０は、図２に示すＲＤＭノード４０の操作部４４と同様の機能を発揮するものとして、詳細な説明を省略する。
【００９８】
認証装置１５０は、操作者の認証を行うための各種認証手段である。なお、認証装置１５０は、図２に示すＲＤＭノード４０の認証装置４５と同様の装置により実現され、認証装置４５と同様の機能を発揮するものとして、詳細な説明を省略する。なお、認証装置１５０は、例えば、利用者からユーザＩＤとパスワードとの入力を受付ける場合は、表示部１４０と一体として実現されてもよい。
【００９９】
（実施形態に係る制御機器の処理手順）
次に、図１１を用いて、照明制御システム１における照明機器１０、変換装置３０、ＲＤＭノード４０、および分電盤１００が制御機器として実行する認証処理の流れの一例について説明する。図１１は、実施形態に係る制御機器が実行する認証処理の流れの一例を示すフローチャートである。
【０１００】
例えば、制御機器は、利用者からの操作を受付けると（ステップＳ１０１）、認証を必要とする操作である認証対象操作であるか否かを判定する（ステップＳ１０２）。例えば、制御機器は、認証対象操作として、受付けた操作が制御情報の設定変更であるか否かを判定する。そして、制御機器は、操作が認証対象操作である場合は（ステップＳ１０２：Ｙｅｓ）、利用者の認証を行う（ステップＳ１０３）。
【０１０１】
また、制御機器は、利用者の認証が正常に行われたか否かを判定し（ステップＳ１０４）、認証が正常に行われた場合は（ステップＳ１０４：Ｙｅｓ）、利用者が入力した操作を受付けるとともに（ステップＳ１０５）、操作内容の履歴を登録して（ステップＳ１０６）、処理を終了する。例えば、制御機器は、制御情報の変更内容等を履歴として登録する。
【０１０２】
一方、制御機器は、利用者の認証が正常に行われなかった場合は（ステップＳ１０４：Ｎｏ）、操作を受付けずに、処理を終了する（ステップＳ１０７）。また、制御機器は、受付けた操作が認証対象操作ではない場合は（ステップＳ１０２：Ｎｏ）、ステップＳ１０３、Ｓ１０４に示す処理の実行をスキップし、ステップＳ１０５を実行する。
【０１０３】
［実施形態の変形例］
（制御機器および制御情報について）
上述した実施形態では、照明機器１０や変換装置３０は、制御情報として、ＤＭＸ規格の制御におけるユニバースやＤＭＸアドレス等を記憶した。また、ＲＤＭノード４０は、制御情報として、ＤＭＸ規格の制御におけるユニバースやＤＭＸアドレスのみならず、自装置のＩＰアドレス等を記憶した。また、分電盤１００は、制御情報として、回路６０を流れる電流の量が所定の閾値を超えた場合に、対応するブレーカをＯＦＦにするかＯＮにし続けるかを示す情報を記憶した。そして、これらの制御機器は、制御情報の設定変更を受付けると、操作者の認証を行った。
【０１０４】
しかしながら、実施形態は、これに限定されるものではない。例えば、照明制御システム１は、上述した照明機器１０、変換装置３０、ＲＤＭノード４０、および分電盤１００以外にも、照明機器１０、２０に関する制御を行う機器であれば、任意の機器を制御機器として有していてもよい。すなわち、照明機器１０、２０の制御に関する任意の情報を記憶する機器であって、照明制御装置５０と双方向通信が可能であり、本体で制御情報の設定変更を受付けることができるのであれば、照明制御システム１は、任意の機器を制御機器として採用可能である。
【０１０５】
また、上述した各種の情報以外にも、照明機器１０、２０の制御に用いられる情報であれば、任意の情報を制御情報として採用可能である。例えば、照明機器１０は、所定のテーブルを用いて色補正を行う場合がある。このような場合に、照明機器１０は、かかる色補正に用いるテーブルを制御情報とし、色補正に用いるテーブルの設定変更を受付けた場合は、操作者の認証を行ってもよい。
【０１０６】
（バトン装置について）
ここで、上述した例では、ＲＤＭノード４０は、バトン装置７０を介して照明機器１０と接続されていた。しかしながら、実施形態は、これに限定されるものではない。例えば、バトン装置７０の中には、所謂スマートバトンと呼ばれる装置があり、ＲＤＭノード４０と同様の機能を有する装置を内蔵するものがある。このような場合、バトン装置７０は、ＲＤＭノード４０と同様の機能を発揮してもよい。すなわち、バトン装置７０は、制御情報の記録や制御情報の設定変更、操作者の認証等を実行してもよい。
【０１０７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０８】
１  照明制御システム
１０、１０−１〜１０−ｎ、２０、２０−１〜２０−ｎ  照明機器
１１、３１、４１、１１０  通信部
１２、３５、４５、１５０  認証装置
１３  光源部
１４、３６、４４  操作部
１５、３２、４２、１２０  記憶部
１５ａ、３２ａ、４２ａ、１２０ａ  制御情報
１５ｂ、３２ｂ、４２ｂ、１２０ｂ  認証テーブル
１６、３３、１３０  制御部
１６ａ  照明制御部
１６ｂ、３３ｂ、４６、１３３  認証部
３０  変換装置
３３ａ  変換部
３４  ＭＯＳＦＥＴ
４０  ＲＤＭノード
４３  出力部
５０  照明制御装置
７０  バトン装置
１００  分電盤
１２２  電源部
１２３  主幹ブレーカ
１２４、１２４−１〜１２４−ｎ  分岐ブレーカ
１３１  電力制御部
１３２  通知部
１４０  表示部
【図１】
2018055844.tif 000003
【図２】
2018055844.tif 000004
【図３】
2018055844.tif 000005
【図４】
2018055844.tif 000006
【図５】
2018055844.tif 000007
【図６】
2018055844.tif 000008
【図７】
2018055844.tif 000009
【図８】
2018055844.tif 000010
【図９】
2018055844.tif 000011
【図１０】
2018055844.tif 000012
【図１１】
2018055844.tif 000013